(57)【特許請求の範囲】
【請求項１】
表面に半導体素子を接合可能な表金属板の裏面を絶縁基板の表面に接合するとともに前記絶縁基板の裏面に裏金属板の表面を接合した回路基板と、前記裏金属板の裏面にロウ材により接合されたヒートシンクと、を備えた放熱装置であって、
前記裏金属板には、表面及び裏面のうち少なくとも一方が開口する複数の応力緩和空間が形成され、
前記裏金属板において、前記半導体素子の直下領域の範囲内に形成された前記応力緩和空間の体積が直下領域の範囲外における前記直下領域と対応する同一寸法の領域の範囲内に形成された前記応力緩和空間の体積に比べて小さいことを特徴とする放熱装置。
【請求項２】
前記直下領域の範囲内における前記応力緩和空間は前記直下領域の周縁部に形成されるとともに前記直下領域の中央部には形成されない一方で、前記直下領域の範囲外における前記直下領域と対応する同一寸法の領域の範囲内における前記応力緩和空間は前記直下領域と対応する同一寸法の領域の周縁部及び中央部に形成されることによって、前記半導体素子の直下領域の範囲内における前記応力緩和空間の体積が直下領域の範囲外における前記直下領域と対応する同一寸法の領域の範囲内に形成された前記応力緩和空間の体積に比べて小さいことを特徴とする請求項１に記載の放熱装置。
【請求項３】
前記絶縁基板の裏面に前記裏金属板がロウ材により接合され、
前記直下領域の範囲内に形成された前記応力緩和空間の体積は、裏金属板の裏面とヒートシンクとの間の前記ロウ材又は絶縁基板の裏面と裏金属板との間の前記ロウ材のうち少なくとも一方が前記直下領域の範囲内における前記応力緩和空間の少なくとも一部に充填されることによって、前記直下領域の範囲外における前記直下領域と対応する同一寸法の領域の範囲内に形成された前記応力緩和空間の体積より小さく形成されていることを特徴とする請求項１に記載の放熱装置。
【請求項４】
前記裏金属板は応力緩和部材であることを特徴とする請求項１〜請求項３のいずれか１項に記載の放熱装置。
【請求項５】
前記裏金属板は、前記ヒートシンクの表面に裏面が接合される第一の裏金属板と、前記第一の裏金属板の表面と前記絶縁基板の裏面との間に接合される第二の裏金属板とから構成され、前記第一の裏金属板に、前記応力緩和空間が形成されることを特徴とする請求項１〜請求項４のいずれか１項に記載の放熱装置。
【請求項６】
表面に半導体素子を接合可能な表金属板の裏面を絶縁基板の表面に接合するとともに前記絶縁基板の裏面に裏金属板の表面を接合した回路基板と、前記裏金属板の裏面にロウ材により接合されたヒートシンクと、を備えた放熱装置の製造方法であって、
応力緩和空間の形成された前記裏金属板の接合界面に、前記半導体素子の直下領域の範囲外にあっては前記応力緩和空間に対応するように空間部が形成されるとともに前記半導体素子の直下領域の範囲内にあっては前記直下領域の範囲外において直下領域と対応する同一寸法の領域に形成された空間部に比べ、空間部の体積が小さいロウ材を配置し、
前記ロウ材を溶融温度以上の温度まで加熱して溶融した後に前記ロウ材を前記溶融温度未満の温度まで下げて凝固させることにより、前記ロウ材を前記直下領域の範囲内における前記応力緩和空間の一部に充填して、前記直下領域の範囲内に形成された前記応力緩和空間の体積を、前記直下領域の範囲外における前記直下領域と対応する同一寸法の領域の範囲内に形成された前記応力緩和空間の体積より小さくすることを特徴とする放熱装置の製造方法。
【請求項７】
前記表金属板に接合可能な半導体素子の直下領域の範囲内にあっては少なくとも一つの前記応力緩和空間の開口部の一部若しくは全部をロウ材で覆うとともに、前記表金属板に接合可能な半導体素子の直下領域の範囲外にあっては前記応力緩和空間の開口部をロウ材で覆わないことを特徴とする請求項６に記載の放熱装置の製造方法。
【発明の詳細な説明】
【技術分野】
【０００１】
本発明は、回路基板と、ヒートシンクとを備えた放熱装置及び放熱装置の製造方法に関する。
【背景技術】
【０００２】
従来、絶縁基板（セラミックス基板）の表面に配線層となる金属板を接合するとともに裏面に接合層となる金属板を接合し、表面側の金属板には半導体素子を接合する一方で、裏面側の金属板には半導体素子の発する熱を放熱する放熱装置（ヒートシンク）を接合した半導体装置が知られている。そして、この半導体装置では、半導体装置の駆動に伴い半導体素子が発する熱を、ヒートシンクにより放熱している。ところで、半導体装置では、ヒートシンクの放熱性能が長期間にわたって維持されることが要求されている。しかしながら、使用条件によっては絶縁基板とヒートシンクとの線膨張係数の相違に起因して発生する熱応力によってセラミックス基板と裏面側の金属板との接合部にクラックが生じたり、クラックの伸展による剥離が生じ、放熱性能が低下するおそれがある。
【０００３】
そこで、裏面側の金属板とヒートシンクの間に応力緩和部材を介在させた半導体装置が提案されている（例えば、特許文献１）。特許文献１に記載の半導体装置では、厚み方向に貫通する貫通孔が複数形成されたアルミニウム板を応力緩和部材として採用しており、半導体装置の駆動時における熱応力が緩和されている。
【先行技術文献】
【特許文献】
【０００４】
【特許文献１】特開２００６−２９４６９９号公報
【発明の概要】
【発明が解決しようとする課題】
【０００５】
ところで、特許文献１に記載の半導体装置においては、アルミニウム板に貫通孔が形成されていることにより、裏面側の金属板とヒートシンクの間に空気の層が形成される。空気はアルミニウムに比して熱伝導率が低いため、半導体素子が発した熱は、貫通孔が形成されていない部分を迂回してヒートシンクに到達することになる。すなわち、貫通孔により半導体素子の発する熱の熱拡散が阻害され、ヒートシンクに熱が伝わりにくく、冷却効率の低減を招いている。
【０００６】
本発明は、このような従来の技術に存在する問題点に着目してなされたものであり、その目的は半導体装置の駆動時に生じる熱応力を緩和しつつ、半導体素子の発する熱の熱拡散が阻害されにくい放熱装置及び放熱装置の製造方法を提供することにある。
【課題を解決するための手段】
【０００７】
上記課題を解決するため、請求項１に記載の発明は、表面に半導体素子を接合可能な表金属板の裏面を絶縁基板の表面に接合するとともに前記絶縁基板の裏面に裏金属板の表面を接合した回路基板と、前記裏金属板の裏面にロウ材により接合されたヒートシンクと、を備えた放熱装置であって、前記裏金属板には、表面及び裏面のうち少なくとも一方が開口する複数の応力緩和空間が形成され、前記裏金属板において、前記半導体素子の直下領域の範囲内に形成された前記応力緩和空間の体積が直下領域の範囲外における前記直下領域と対応する同一寸法の領域の範囲内に形成された前記応力緩和空間の体積に比べて小さいことを要旨とする。
【０００８】
本発明によれば、裏金属板に形成される応力緩和空間により熱応力が緩和される。また、裏金属板において直下領域の範囲内の熱伝導率は、裏金属板において直下領域の範囲外において直下領域と対応する同一寸法の領域の熱伝導率に比べて向上されている。したがって、半導体素子の発する熱は、半導体素子の直下に伝導しやすく、熱拡散が阻害されにくい。このため、半導体素子の発する熱をヒートシンクに適切に伝導することができ、熱の発生が多い半導体素子の直下領域での放熱性向上と熱応力の吸収とのバランスをとることができる。
【０００９】
請求項２に記載の発明は、請求項１に記載の放熱装置であって、前記直下領域の範囲内における前記応力緩和空間は前記直下領域の周縁部に形成されるとともに前記直下領域の中央部には形成されない一方で、前記直下領域の範囲外における前記直下領域と対応する同一寸法の領域の範囲内における前記応力緩和空間は前記直下領域と対応する同一寸法の領域の周縁部及び中央部に形成されることによって、前記半導体素子の直下領域の範囲内における前記応力緩和空間の体積が直下領域の範囲外における前記直下領域と対応する同一寸法の領域の範囲内に形成された前記応力緩和空間の体積に比べて小さいことを要旨とする。
【００１０】
本発明によれば、裏金属板における直下領域の範囲内においては周縁部に応力緩和空間が形成され、周縁部より内側の領域である中央部には応力緩和空間が形成されない。このため、裏金属板における直下領域の中央部は裏金属板となり、半導体素子の中央部とヒートシンクが積層方向に応力緩和空間を介在させない状態で接合される。半導体素子において最も熱が集中する部分は中央部なので、半導体素子が発した熱は半導体素子の中央部の直下に最も多く伝導する。半導体素子の直下に応力緩和空間が形成されないことから、半導体素子の直下に伝導する熱の熱拡散が阻害されにくく、効率よくヒートシンクに熱を伝導させることができる。すなわち、熱の発生が多い半導体素子の直下領域での放熱性向上と熱応力の吸収とのバランスをとることができる。
【００１１】
請求項３に記載の発明は、請求項１に記載の放熱装置であって、前記絶縁基板の裏面に前記裏金属板がロウ材により接合され、前記直下領域の範囲内に形成された前記応力緩和空間の体積は、裏金属板の裏面とヒートシンクとの間の前記ロウ材又は絶縁基板の裏面と裏金属板との間の前記ロウ材のうち少なくとも一方が前記直下領域の範囲内における前記応力緩和空間の少なくとも一部に充填されることによって、前記直下領域の範囲外における前記直下領域と対応する同一寸法の領域の範囲内に形成された前記応力緩和空間の体積より小さく形成されていることを要旨とする。
【００１２】
本発明によれば、裏金属板の接合時に応力緩和空間に流入するロウ材を調整することにより、直下領域の範囲内における応力緩和空間の体積が直下領域の範囲外における直下領域と対応する同一寸法の領域の範囲内に形成された応力緩和空間の体積に比べて小さくできる。
【００１３】
請求項４に記載の発明は、請求項１〜請求項３のいずれか１項に記載の放熱装置において、前記裏金属板は応力緩和部材であることを要旨とする。
本発明によれば、回路基板とヒートシンクを接合する接合層が応力緩和部材として機能する。すなわち、接合層が応力緩和部材としての機能を兼ねているため、応力緩和部材と接合層を別々に形成する必要がなく、部品点数の低減が図れる。
【００１４】
請求項５に記載の発明は、請求項１〜請求項４のいずれか１項に記載の放熱装置であって、前記裏金属板は、前記ヒートシンクの表面に裏面が接合される第一の裏金属板と、前記第一の裏金属板の表面と前記絶縁基板の裏面との間に接合される第二の裏金属板とから構成され、前記第一の裏金属板に、前記応力緩和空間が形成されることを要旨とする。
【００１５】
本発明によれば、第二の裏金属板には応力緩和空間が形成されない。半導体素子の発した熱は、第二の裏金属板を介して第一の裏金属板に伝導される。第二の裏金属板に応力緩和空間が形成されていないことから、第二の裏金属板を伝導する熱は、熱拡散を阻害されることがなく、効率よく第一の裏金属板に伝導される。このため、ヒートシンクに対して効率よく熱を伝導させることができる。
【００１６】
請求項６に記載の発明は、表表面に半導体素子を接合可能な表金属板の裏面を絶縁基板の表面に接合するとともに前記絶縁基板の裏面に裏金属板の表面を接合した回路基板と、前記裏金属板の裏面にロウ材により接合されたヒートシンクと、を備えた放熱装置の製造方法であって、応力緩和空間の形成された前記裏金属板の接合界面に、前記半導体素子の直下領域の範囲外にあっては前記応力緩和空間に対応するように空間部が形成されるとともに前記半導体素子の直下領域の範囲内にあっては前記直下領域の範囲外において直下領域と対応する同一寸法の領域に形成された空間部に比べ、空間部の体積が小さいロウ材を配置し、前記ロウ材を溶融温度以上の温度まで加熱して溶融した後に前記ロウ材を前記溶融温度未満の温度まで下げて凝固させることにより、前記ロウ材を前記直下領域の範囲内における前記応力緩和空間の一部に充填して、前記直下領域の範囲内に形成された前記応力緩和空間の体積を、前記直下領域の範囲外における前記直下領域と対応する同一寸法の領域の範囲内に形成された前記応力緩和空間の体積より小さくすることを要旨とする。
【００１７】
本発明によれば、裏金属板において直下領域の範囲内に形成された貫通孔には、多くのロウ材が充填されるため、裏金属板における直下領域の熱伝導率は、裏金属板において直下領域の範囲外において直下領域と対応する同一寸法の領域の熱伝導率に比べて向上されている。したがって、半導体素子の発する熱は、半導体素子の直下に伝導しやすく、熱拡散が阻害されにくい。このため、半導体素子の発する熱をヒートシンクに適切に伝導することができ、熱の発生が多い半導体素子の直下領域での放熱性向上と熱応力の吸収とのバランスをとることができる。
【００１８】
請求項７に記載の発明は請求項６に記載の放熱装置の製造方法であって、前記表金属板に接合可能な半導体素子の直下領域の範囲内にあっては少なくとも一つの前記応力緩和空間の開口部の一部若しくは全部をロウ材で覆うとともに、前記表金属板に接合可能な半導体素子の直下領域の範囲外にあっては前記応力緩和空間の開口部をロウ材で覆わないことを要旨とする。
【００１９】
本発明によれば、開口部がロウ材で覆われている応力緩和空間には、溶融したロウ材が流入しやすく、開口部がロウ材で覆われていない応力緩和空間には、溶融したロウ材が流入しにくい。このため、裏金属板において直下領域の範囲内に形成された貫通孔に、多くのロウ材が充填されやすい。
【発明の効果】
【００２０】
本発明によれば、半導体装置の駆動時に生じる熱応力を緩和しつつ、半導体素子の発する熱の熱拡散が阻害されにくくなる。
【図面の簡単な説明】
【００２１】
【図１】図２における半導体モジュールのＡ−Ａ線断面図。
【図２】裏金属板と半導体素子の関係を示す平面図。
【図３】半導体モジュールの断面図。
【図４】ロウ材と裏金属板の関係を示す平面図。
【図５】半導体モジュールの製造工程を説明するための図。
【図６】別例における半導体モジュールを示す断面図。
【図７】（ａ）〜（ｄ）は別例における半導体モジュールを示す破断断面図。
【発明を実施するための形態】
【００２２】
（第１の実施形態）
以下、本発明を具体化した第１の実施形態を図１及び図２にしたがって説明する。
図１に示すように、半導体装置としての半導体モジュール１０は、回路基板１１と、回路基板１１上に半田付けにより接合された半導体素子１２と、ヒートシンク１３とから構成されている。回路基板１１は、セラミックス基板１４の表面に半導体素子１２を接合可能な表金属層としての表金属板（金属回路板）１５の裏面をロウ材で接合するとともに、裏面に裏金属層としての裏金属板１６の表面をロウ材で接合して構成されている。すなわち、本実施形態において、図１における上方向が各部材の表面、下側が裏面となっている。
【００２３】
セラミックス基板１４は、表面が半導体素子１２の搭載面となっており、半導体素子１２の搭載面には配線層として機能する表金属板１５が接合されている。そして、半導体素子１２は、半田層Ｈを介して表金属板１５に接合されている。半導体素子１２としては、例えばＩＧＢＴ（Insulated・GateBipolar・Transistor）やダイオードが用いられている。
【００２４】
一方、セラミックス基板１４の裏面にはセラミックス基板１４とヒートシンク１３とを接合する接合層として機能する裏金属板１６が接合されている。
セラミックス基板１４は、窒化アルミニウム、アルミナ、窒化ケイ素などにより形成されている。表金属板１５及び裏金属板１６は、純アルミニウムや銅により形成されている。ヒートシンク１３の内部には、直線状に延びる複数の冷媒通路１３ａが区画されている。本実施形態では、回路基板１１と、ヒートシンク１３と、から放熱装置１が構成されている。そして、放熱装置１に半導体素子１２が半田で接合されることにより、放熱装置１と、半導体素子１２と、から半導体モジュール１０が構成されている。
【００２５】
次に、裏金属板１６について詳しく説明する。
図２に示すように、裏金属板１６には応力緩和空間としての貫通孔１７が複数形成されている。貫通孔１７は裏金属板１６の厚み方向（セラミックス基板１４と裏金属板１６との積層方向）に貫通しており、裏金属板１６の表面及び裏面に開口している。また、各貫通孔１７の大きさを同一としているため、応力緩和空間の体積は同一となっている。貫通孔１７について具体的に説明する。裏金属板１６における半導体素子１２に対応する領域である直下領域Ａ１（図中二点鎖線で囲まれる領域）の範囲外には、貫通孔１７が直下領域Ａ１の外周縁Ａ１１から裏金属板１６の外周縁１６ａにかけて一定間隔おきに形成されている。一方、裏金属板１６における半導体素子１２の直下領域Ａ１の範囲内には、貫通孔１７が直下領域Ａ１の外周縁Ａ１１（半導体素子１２の外周縁１２ａの直下に位置する）付近に形成されている。直下領域Ａ１の外周縁Ａ１１に形成される貫通孔１７と、直下領域Ａ１の範囲外に形成される貫通孔１７とは、各貫通孔１７の中心間距離がそれぞれ同一間隔で形成されている。裏金属板１６において直下領域Ａ１に形成される貫通孔１７より内側の領域である内側領域Ａ２には、貫通孔１７が形成されていない。すなわち、内側領域Ａ２は、裏金属板１６において半導体素子１２の直下領域Ａ１の範囲内に形成されているため、半導体素子１２とヒートシンク１３との接合面積が広くなっている。具体的には、裏金属板１６において半導体素子１２の直下領域Ａ１の範囲外における直下領域Ａ１と対応する同一寸法の領域を比較領域Ａ２１とし、直下領域Ａ１と比較領域Ａ２１を比較する。すると、裏金属板１６において半導体素子１２の直下領域Ａ１の範囲内にあっては、直下領域Ａ１の範囲外において直下領域Ａ１と対応する同一寸法の領域（比較領域Ａ２１内）の範囲内に形成された貫通孔１７の数（６個）に比べ、貫通孔１７の数（４個）が少なくなっている。各貫通孔１７の大きさは同一であるため、直下領域Ａ１の範囲内における貫通孔１７の体積の合計が、比較領域Ａ２１の範囲内に形成された貫通孔１７の体積の合計よりも小さくなっている。このため、直下領域Ａ１での伝熱面積が増加され、半導体素子１２が発熱したときのヒートシンク１３に対する熱伝導性が向上している。
【００２６】
本実施形態では、裏金属板１６における半導体素子１２の直下領域Ａ１を、貫通孔１７の形成を許容する領域である形成領域Ａ３（周縁部）と、貫通孔１７の形成を許容しない領域である非形成領域Ａ４に分割している。
【００２７】
以下、形成領域Ａ３と非形成領域Ａ４について詳しく説明を行う。
半導体素子１２を平面視したときに、半導体素子１２の載置面の一辺及び一辺と対向する辺を第１辺１２ｂとするとともに、第１辺１２ｂに直交する辺を第２辺１２ｃとする。そして、本実施形態では、半導体素子１２の各第１辺１２ｂから互いに対向する方向に向かって第２辺１２ｃの寸法Ｙの２５％〜３５％（好ましくは３０％）の領域及び、各第２辺１２ｃから互いに対向する方向に向かって第１辺１２ｂの寸法Ｘの２５％〜３５％（好ましくは３０％）の領域を貫通孔１７の形成を許容する形成領域Ａ３としている。すなわち、この形成領域Ａ３は、直下領域Ａ１の外周縁Ａ１１から外周縁Ａ１１の内側に向かって形成される一定の範囲を占める周縁部となっている。
【００２８】
また、形成領域Ａ３（周縁部）の内側に形成される領域を貫通孔１７の形成を許容しない非形成領域Ａ４としている。非形成領域Ａ４は、半導体素子１２の中央部１２ｄの直下に形成されている。したがって、非形成領域Ａ４は、直下領域Ａ１の中央部に位置していると捉えることもできる。そして、直下領域Ａ１の範囲内における貫通孔１７は、直下領域Ａ１の形成領域Ａ３（周縁部）に形成されるとともに、非形成領域Ａ４には、貫通孔１７が形成されていない。一方で、比較領域Ａ２１の範囲内における貫通孔１７は、比較領域Ａ２１の中央部及び周縁部に形成されている。
【００２９】
貫通孔１７を形成する位置は、非形成領域Ａ４を含まない範囲で適宜位置変更することが可能である。貫通孔１７の位置を変更することにより、内側領域Ａ２の範囲は変化する。内側領域Ａ２の範囲が変化した場合であっても、非形成領域Ａ４には貫通孔１７が形成されないことから、内側領域Ａ２の範囲に非形成領域Ａ４が含まれることになる。
【００３０】
非形成領域Ａ４に貫通孔１７を形成しないため、自ずと直下領域Ａ１の形成領域Ａ３に位置するように貫通孔１７が形成されることになる。なお、貫通孔１７が形成される位置は、必ずしも形成領域Ａ３の範囲内に限られず、形成領域Ａ３より外側に形成されていてもよい。すなわち、貫通孔１７は直下領域Ａ１の外周縁Ａ１１付近に形成されていればよい。
【００３１】
非形成領域Ａ４は半導体素子１２の中央部１２ｄの直下に形成されているため、半導体素子１２の中央部１２ｄとヒートシンク１３は貫通孔１７が介在しない状態で接合されていることになる。
【００３２】
半導体素子１２の中央部１２ｄとヒートシンク１３が貫通孔１７を介在しない状態で接合されていることにより、半導体素子１２の中央部１２ｄの直下に伝導する熱の拡散は阻害されにくくなる。半導体モジュール１０の駆動時には、半導体素子１２の中央部１２ｄに最も熱が集中するため、半導体素子１２の中央部１２ｄの直下に伝導する熱の拡散を阻害されにくくすることにより、半導体モジュール１０の熱伝導性が向上している。
【００３３】
次に、半導体モジュール１０の作用について説明する。
このように、構成した半導体モジュール１０は、例えば電動モータを駆動源の一部とするハイブリッドカーなどの車両に適用されることにより、車両の運転状況に応じて電動モータに供給する電力を制御する。そして、半導体モジュール１０が駆動されると、半導体素子１２が熱を発する。半導体素子１２が発した熱は半導体素子１２の接合面から回路基板１１に向かって放射線状に拡散していく。半導体素子１２が発した熱は、表金属板１５、セラミックス基板１４、裏金属板１６、ヒートシンク１３の順に伝導する。
【００３４】
半導体素子１２の発する熱は、半導体素子１２の中央部１２ｄに集中するため、半導体素子１２の中央部１２ｄが熱集中部となる。すなわち、半導体素子１２の発する熱は半導体素子１２の中央部１２ｄの直下に最も多く伝導することになる。
【００３５】
このとき、半導体素子１２の中央部１２ｄとヒートシンク１３は貫通孔１７を介さずに接合されているため、半導体素子１２の中央部１２ｄの直下に伝導する熱は、貫通孔１７に熱拡散を阻害されることなく、ヒートシンク１３に伝達する。
【００３６】
一方、半導体素子１２の発した熱のうち、中央部１２ｄの直下以外に伝導する熱は、貫通孔１７を迂回してヒートシンク１３に到達することになる。半導体素子１２の中央部１２ｄの直下以外に伝導される熱は、半導体素子１２の中央部１２ｄの直下に伝導する熱と比べてヒートシンク１３へ到達するまでに伝導する距離が長いため、その間に冷却され、熱応力発生の原因となりにくい。従って、半導体素子１２の中央部１２ｄの直下となる非形成領域Ａ４にも貫通孔１７が形成されたものに対して、熱の発生が多い半導体素子１２の直下領域Ａ１での放熱性向上と熱応力の吸収とのバランスをとることができる。
【００３７】
また、半導体素子１２の発熱に伴う熱応力を裏金属板１６が緩和するため、セラミックス基板１４と裏金属板１６との間の接合部にクラックが生じたり、ヒートシンク１３に反りが発生したりすることを抑制することができる。
【００３８】
上記実施形態によれば、以下のような効果を得ることができる。
（１）裏金属板１６に形成される貫通孔１７により熱応力が緩和される。また、裏金属板１６において、直下領域Ａ１の伝熱面積を増加することにより、裏金属板１６において直下領域Ａ１の範囲内の熱伝導率は、裏金属板１６において直下領域Ａ１の範囲外において直下領域Ａ１と対応する同一寸法の領域（比較領域Ａ２１）の熱伝導率に比べて向上されている。したがって、半導体素子１２の発する熱は、半導体素子１２の直下に伝導しやすく、熱拡散が阻害されにくい。このため、半導体素子１２の発する熱をヒートシンク１３に適切に伝導することができ、熱の発生が多い半導体素子１２の直下領域Ａ１での放熱性向上と熱応力の吸収とのバランスをとることができる。
【００３９】
（２）内側領域Ａ２には貫通孔１７が形成されていない。このため、内側領域Ａ２はヒートシンク１３とセラミックス基板１４を接合する接合層として機能している。これにより、半導体素子１２の中央部１２ｄとヒートシンク１３が貫通孔１７を介さずに接合され、半導体素子１２の中央部１２ｄの直下に伝導する熱の熱拡散が阻害されにくい。半導体素子１２の中央部１２ｄの直下に伝導する熱の熱拡散が阻害されにくいため、半導体素子１２の発した熱を効率よく放熱することができる。すなわち、熱の発生が多い半導体素子１２の直下領域Ａ１での放熱性向上と熱応力の吸収とのバランスをとることができる。
【００４０】
（３）貫通孔１７を形成していることにより、半導体素子１２の駆動時には、裏金属板１６が効率よく応力を緩和する。このため、セラミックス基板１４と裏金属板１６との間の接合部にクラックが生じたり、ヒートシンク１３に反りが発生したりすることを抑制することができる。
【００４１】
（４）裏金属板１６は、セラミックス基板１４とヒートシンク１３とを接合する接合層として機能するだけでなく、応力緩和部材としても機能している。このため、接合層と応力緩和部材を別々の部品としなくてよく、部品点数の削減を図れる。
【００４２】
（５）また、裏金属板１６と応力緩和部材を別の部材にした場合と比べ、応力緩和部材の体積を上げることができ、応力緩和効果が向上している。
（第２の実施形態）
本発明を具体化した第２の実施形態を図３〜図５にしたがって説明する。
【００４３】
以下に説明する実施形態は、既に説明した実施形態と同一構成について同一符号を付すなどしてその重複する説明を省略又は簡略する。
図３に示すように、半導体装置としての半導体モジュール３０の裏金属板３１において半導体素子１２の直下領域Ａ１の周縁部に形成された貫通孔１７に挟まれる位置には、ロウ材（例えば、純アルミニウムや銅）により形成された接合部３２が形成されている。接合部３２は、裏金属板３１と一体をなすことにより、セラミックス基板１４とヒートシンク１３を接合する接合層として機能している。
【００４４】
すなわち、本実施形態では、一定間隔毎に貫通孔１７が形成された裏金属板３１において、非形成領域Ａ４の範囲外に形成された貫通孔１７に比べて、非形成領域Ａ４の範囲内に形成された貫通孔１７に多くのロウ材が充填され、伝熱面積が増加されている。本実施形態では、セラミックス基板１４、表金属板１５及び裏金属板３１からなる回路基板１１及びヒートシンク１３から放熱装置２が構成されるとともに、放熱装置２と半導体素子１２とから半導体モジュール３０が形成されている。
【００４５】
したがって、放熱装置２は、裏金属板３１において半導体素子１２の直下領域Ａ１の範囲内にあっては、直下領域Ａ１の範囲外において直下領域Ａ１と対応する同一寸法の領域の範囲内に形成された貫通孔１７に比べ、貫通孔１７に充填されているロウ材の量が多くなっている。
【００４６】
次に、本実施形態における放熱装置２の製造方法の一工程であるロウ付け工程においてセラミックス基板１４、裏金属板３１、ヒートシンク１３のロウ付けを行う方法について説明する。本実施形態では、一定間隔毎に貫通孔１７が形成された裏金属板３１が用いられる。すなわち、非形成領域Ａ４の範囲内にも貫通孔１７が形成された裏金属板３１が用いられる。
【００４７】
図４に示すように、まず、ロウ材３３を用意する。ロウ材３３には、第１の実施形態における裏金属板１６に形成された貫通孔１７と同じように空間部としての孔３４が形成されている。詳しくは、ロウ材３３において、半導体素子１２の直下領域Ａ１の範囲外には、孔３４が裏金属板３１に形成された貫通孔１７に対応するように形成されている。一方、ロウ材３３における半導体素子１２の直下領域Ａ１の範囲内にあっては、直下領域Ａ１の外周縁Ａ１１付近に形成された貫通孔１７に対応して孔３４が形成されている。ロウ材３３において直下領域Ａ１に形成される孔３４より内側の領域である内側領域Ａ２には、孔３４が形成されていない。このため、ロウ材３３は、半導体素子１２の直下領域Ａ１の範囲外にあっては貫通孔１７に対応するように孔３４が形成されるとともに半導体素子１２の直下領域Ａ１の範囲内にあっては、直下領域Ａ１の範囲外において直下領域Ａ１と対応する同一寸法の領域（比較領域Ａ２１）の範囲内に形成された孔３４の体積の合計に比べ、孔３４の体積の合計が小さくなっている。換言すれば、直下領域Ａ１の範囲外における直下領域Ａ１と対応する同一寸法の領域（比較領域Ａ２１）のロウ材３３の量と、直下領域Ａ１の範囲内のロウ材３３の量を比較すると、直下領域Ａ１の範囲内のロウ材３３の量が多くなっている。
【００４８】
図５に示すように、ロウ材３３がセラミックス基板１４と裏金属板３１の間及び裏金属板３１とヒートシンク１３の間に介在されるように、セラミックス基板１４、裏金属板３１、ヒートシンク１３及びロウ材３３を積層状に配置する。したがって、ロウ材３３は、裏金属板３１の接合界面に配置されることになる。なお、裏金属板３１において非形成領域Ａ４の範囲外にあっては、貫通孔１７とロウ材３３の孔３４が重なり合い、非形成領域Ａ４の範囲内にあっては、貫通孔１７とロウ材３３の孔３４が重なり合わないように（図４に示すように）ロウ材３３を配置する。したがって、直下領域Ａ１の範囲内にあっては非形成領域Ａ４に形成された貫通孔１７の開口部の全部がロウ材３３に覆われている。一方、直下領域Ａ１の範囲外にあっては、貫通孔１７の開口部はロウ材３３に覆われていない。そして、リフロー炉などの加熱装置により加熱することにより、ロウ材３３を溶融温度以上の温度まで加熱して溶融させる。非形成領域Ａ４に形成される貫通孔１７には、溶融したロウ材３３が流入する。一方、非形成領域Ａ４以外の領域に形成された貫通孔１７には、溶融したロウ材３３が流入しない、あるいは流入したとしても非形成領域Ａ４に形成された貫通孔１７に流入したロウ材３３と比べて、極少量である。このため、裏金属板３１は、直下領域Ａ１の範囲内にあっては、直下領域Ａ１の非形成領域Ａ４において貫通孔１７を占める溶融したロウ材の量が多い。その後、ロウ材３３を溶融温度未満の温度まで下げて凝固させることにより、図３に示す放熱装置２が製造される。放熱装置２は、直下領域Ａ１の範囲内にあっては直下領域Ａ１の非形成領域Ａ４における貫通孔１７を占めるロウ材の量が直下領域Ａ１の形成領域Ａ３における貫通孔１７を占めるロウ材の量よりも多い。そして、放熱装置２の製造後、放熱装置２に半導体素子１２を半田付けすることで、半導体モジュール３０が製造される。
【００４９】
したがって、上記実施形態によれば、第１の実施形態の（１）〜（５）の効果に加え、以下のような効果を得ることができる。
（６）ロウ材３３が溶融すると、裏金属板３１における非形成領域Ａ４に形成された貫通孔１７に多くのロウ材３３が流入するようにロウ材３３を形成している。このため、貫通孔１７に流入したロウ材３３が凝固すると、裏金属板３１において半導体素子１２の直下領域Ａ１の範囲内にあっては、直下領域Ａ１の範囲外において直下領域Ａ１と対応する同一寸法の領域（比較領域Ａ２１）の範囲内に形成された貫通孔１７に比べ、貫通孔１７の体積が小さくなる。すなわち、貫通孔１７が一定間隔毎に形成された裏金属板３１を用いて、裏金属板３１において、直下領域Ａ１の伝熱面積を増加することができる。裏金属板３１において直下領域Ａ１の範囲内の熱伝導率は、直下領域Ａ１の範囲外において直下領域Ａ１と対応する同一寸法の領域（比較領域Ａ２１）の熱伝導率に比べて向上されている。このため、半導体素子１２の発する熱をヒートシンク１３に適切に伝導することができ、熱の発生が多い半導体素子１２の直下領域Ａ１での放熱性向上と熱応力の吸収とのバランスをとることができる。
【００５０】
（７）直下領域Ａ１の形成領域Ａ３における貫通孔１７に比べて、非形成領域Ａ４における貫通孔１７に充填されるロウ材３３の量が多くなるようにした。このため、ロウ材３３の溶融時に、応力緩和空間に流入するロウ材３３を調整することにより、直下領域Ａ１の範囲内における貫通孔１７の体積が直下領域Ａ１の範囲外における直下領域Ａ１と対応する同一寸法の領域（比較領域Ａ２１）の範囲内に形成された貫通孔１７の体積に比べて小さくできる。
【００５１】
（８）直下領域Ａ１の範囲内にあっては非形成領域Ａ４に形成された貫通孔１７の開口部の全部はロウ材３３に覆われている。一方、直下領域Ａ１の範囲外にあっては、貫通孔１７の開口部はロウ材３３に覆われていない。このため、非形成領域Ａ４の範囲内の貫通孔１７にロウ材３３が充填されやすい。
【００５２】
なお、実施形態は以下のように変更しても良い。
○  第１及び第２の実施形態において、直下領域Ａ１の外周縁Ａ１１に形成される貫通孔１７と、直下領域Ａ１の範囲外に形成される貫通孔１７とは、各貫通孔１７の中心間距離がそれぞれ異なる間隔で形成されていてもよい。
【００５３】
○  第１及び第２の実施形態において貫通孔１７を、裏金属板１６、３１の厚み方向に開口する凹部、すなわち、裏金属板１６，３１の一方が開口するようにしてもよい。この場合であっても、半導体モジュール１０の駆動時における熱応力が緩和される。
【００５４】
○  図６に示すように、ヒートシンク１３の表面に裏面が接合される第一の裏金属層としての第一の裏金属板２１と、第一の裏金属板２１の表面とセラミックス基板１４の裏面との間に接合される第二の裏金属層としての第二の裏金属板２２から裏金属層を形成してもよい。この場合、第一の裏金属板２１に応力緩和空間としての貫通孔１７を形成し、第二の裏金属板２２には貫通孔１７を形成しない。第二の裏金属板２２に貫通孔１７が形成されないため、半導体素子１２の発した熱は、熱拡散を阻害されることがなく、効率よく第一の裏金属板２１に伝導される。このため、ヒートシンク１３に対して効率よく熱を伝導させることができる。
【００５５】
○  第１及び第２の実施形態において、半導体素子１２は、配線層である表金属板１５に複数接合されていてもよい。この場合も、裏金属板１６，３１における半導体素子１２の直下領域Ａ１の周縁部（形成領域Ａ３）に貫通孔１７を形成する。
【００５６】
○  第１及び第２の実施形態において、貫通孔１７の形状は、図２に示したように円形状でもよいし、楕円状や四角状等であってもよい。すなわち、貫通孔が応力緩和空間として機能すれば、その形状はどのようなものであってもよい。
【００５７】
○  第１の実施形態において、直下領域Ａ１の範囲内の応力緩和空間の体積の合計が、比較領域Ａ２１の範囲内の応力緩和空間の体積の合計を超えない範囲内で、直下領域Ａ１内の応力緩和空間の体積を変更してもよい。例えば、直下領域Ａ１の範囲内に形成される貫通孔１７の孔径を、直下領域Ａ１の範囲外に形成される貫通孔１７孔径よりも小さくしたり、直下領域Ａ１の範囲内に形成される応力緩和空間のみ凹部とし、直下領域Ａ１の範囲外に形成される応力緩和空間を貫通孔としてもよい。
【００５８】
○  第１及び第２の実施形態において、貫通孔１７は、非形成領域Ａ４に形成されなければ、その数を減らしてもよいし、増やしてもよい。
○  第１及び第２の実施形態において、裏金属板１６，３１の直下領域Ａ１に形成される応力緩和空間の体積の合計を０にしてもよい。すなわち、直下領域Ａ１に応力緩和空間が形成されていなくてもよい。
【００５９】
○  第２の実施形態において、非形成領域Ａ４に形成される貫通孔１７に充填されるロウ材３３により、完全に貫通孔１７が埋まらなくてもよい。例えば、図７（ａ）〜図７（ｄ）に示すように非形成領域Ａ４に形成される応力緩和空間の体積が、他の応力緩和空間よりも小さくなればよい。図７（ａ）では、貫通孔１７においてセラミックス基板１４寄りの部分と、ヒートシンク１３寄りの部分にロウ材３３が充填されている。図７（ｂ）では、貫通孔１７の径方向にロウ材３３が充填されている。図７（ｃ）では、貫通孔１７の軸方向の略中央にロウ材３３が充填されている。図７（ｄ）では、セラミックス基板１４寄りの部分に、凹部が形成されるようにロウ材３３が充填されている。
【００６０】
○  第２の実施形態において、裏金属板３１とセラミックス基板１４の間に配置されるロウ材３３又は裏金属板３１とヒートシンク１３の間に配置されるロウ材３３のいずれか一方が実施形態のロウ材３３のように形成されていればよい。
【００６１】
○  第１の実施形態において、裏金属板１６とセラミックス基板１４及び裏金属板１６とヒートシンク１３は、裏金属板１６に形成された貫通孔１７に対応して空間部が形成されたロウ材を用いて接合されていてもよいし、空間部の形成されていないロウ材を用いて接合されていてもよい。
【００６２】
○  第１及び第２の実施形態において、半導体素子１２は、ロウ材で接合されていてもよい。
○  第２の実施形態において、セラミックス基板１４、表金属板１５、裏金属板３１、ヒートシンク１３及び半導体素子１２を一括ロウ付けしてもよい。
【００６３】
○  第２の実施形態において、非形成領域Ａ４の範囲内の貫通孔１７のうち、少なくとも一つの貫通孔１７の開口部がロウ材３３で覆われていればよい。
○  第２の実施形態において、貫通孔１７の開口部の一部がロウ材３３で覆われていればよい。
【００６４】
○  第２の実施形態において、直下領域Ａ１の範囲内における貫通孔１７の少なくとも一部にロウ材が充填されていれば、ロウ材が充填される貫通孔１７の数を変更してもよい。
【００６５】
次に、上記実施形態及び別例から把握できる技術的思想について、以下に追記する。
（イ）絶縁基板の表面に表金属層の裏面を接合するとともに前記絶縁基板の裏面に裏金属層の表面を接合した回路基板と、前記表金属層の表面に接合された半導体素子と、前記裏金属層の裏面に接合されたヒートシンクと、を備えた半導体装置であって、前記裏金属層において前記半導体素子の直下領域の範囲内にあっては、応力緩和空間が前記直下領域の周縁部に形成され、前記直下領域の範囲外にあっては、前記応力緩和空間が前記直下領域の外周縁から裏金属層の外周縁にかけて形成されることを特徴とする半導体装置。
【００６６】
（ロ）前記応力緩和空間は、前記絶縁基板と前記裏金属層との積層方向に貫通する貫通孔であることを特徴とする技術的思想（イ）に記載の半導体装置。
技術的思想（ロ）によれば、応力緩和空間を絶縁基板と裏金属層との積層方向に貫通する貫通孔とすることにより、裏金属層が変形し易くなる。すなわち、半導体装置の駆動時に生じる熱応力を吸収しやすくすることができる。
【符号の説明】
【００６７】
Ａ１…直下領域、Ａ２…内側領域、Ａ１１…外周縁、１，２…放熱装置、１０，３０…半導体モジュール、１１…回路基板、１２…半導体素子、１２ａ…外周縁、１３…ヒートシンク、１４…セラミックス基板、１５…表金属板、１６，３１…裏金属板、１７…貫通孔、２１…第一の裏金属板、２２…第二の裏金属板、３３…ロウ材、３４…孔。
【図１】
0005349572.tif 000002
【図２】
0005349572.tif 000003
【図３】
0005349572.tif 000004
【図４】
0005349572.tif 000005
【図５】
0005349572.tif 000006
【図６】
0005349572.tif 000007
【図７】
0005349572.tif 000008